(57)【特許請求の範囲】
【請求項１】
四角筒形状の第１枠部と、
前記第１枠部の一方の縁を空調機の室内機の縁に沿うように配置するための固定部と、
外側の縁が前記第１枠部の他方の縁に設けられ、前記第１枠部の他方の縁から前記第１枠部の内側に延びる第１底部と、
一方の縁が前記第１底部の内側の縁に設けられ、前記第１底部から前記第１枠部が延びる方向とは反対の方向に延びる第２枠部と、
外側の縁が前記第２枠部の他方の縁に設けられ、前記第２枠部の他方の縁から前記第２枠部の内側に延びる第２底部と、
一方の縁が前記第２底部の内側の縁に設けられ、前記第２底部から前記第２枠部が延びる方向とは反対の方向に延びる第３枠部と、
を備え、
前記第１枠部、前記第１底部、前記第２枠部、前記第２底部及び前記第３枠部は透光性を有し、
前記第２枠部は前記第１枠部の内側に配置可能であり、
前記第３枠部は前記第２枠部の内側に配置可能であり、
前記第１枠部、前記第２枠部又は前記第３枠部に、洗浄用ノズルを通すための洗浄孔が形成された
洗浄作業補助装置。
【請求項２】
前記第２底部に設けられた反射部を更に備え、
前記反射部は、前記第１枠部が前記室内機の縁に沿うように配置されると上方を向く
請求項１に記載の洗浄作業補助装置。
【請求項３】
四角環形状の第１枠部と、
前記第１枠部を空調機の室内機の縁に沿うように配置するための固定部と、
筒形状であり、一方の縁が前記第１枠部に設けられた透光性を有する第１シートと、
前記第１シートの他方の縁に設けられ、前記第１枠部の内側に配置可能な第２枠部と、
筒形状であり、一方の縁が前記第２枠部に設けられた透光性を有する第２シートと、
前記第２シートの他方の縁に設けられ、前記第２枠部の内側に配置可能な第３枠部と、
を備え、
前記第１シート又は第２シートに、洗浄用ノズルを通すための洗浄孔が形成された洗浄作業補助装置。
【請求項４】
前記洗浄孔から液体が流出することを防止するための流出防止部を更に備えた請求項１から請求項３の何れか一項に記載の洗浄作業補助装置。
【請求項５】
前記第１枠部に設けられ、前記第１枠部が前記室内機の縁に沿うように配置されると、前記室内機の縁の直下又は側方に配置される防滴部を更に備えた請求項１から請求項４の何れか一項に記載の洗浄作業補助装置。
【請求項６】
前記防滴部は、前記第１枠部が前記室内機の縁に沿うように配置されると、前記室内機の縁に下方から接触する請求項５に記載の洗浄作業補助装置。
【請求項７】
前記第２枠部が前記第１枠部の内側に配置され且つ前記第３枠部が前記第２枠部の内側に配置された状態を保持する保持部を更に備えた請求項１から請求項６の何れか一項に記載の洗浄作業補助装置。
【請求項８】
前記固定部によって前記第１枠部が前記室内機の縁に沿うように配置された後に前記第１枠部が前記室内機の縁から離れるように移動すると注意を喚起する注意喚起部を更に備えた請求項１から請求項７の何れか一項に記載の洗浄作業補助装置。
【発明の詳細な説明】
【技術分野】
【０００１】
この発明は、空調機の室内機を洗浄する際に使用される装置に関する。
【背景技術】
【０００２】
特許文献１に空調機が開示されている。一般に、空調機は、建物内に設置される室内機と建物外に設置される室外機とを備える。商業用ビル等では、室内機は部屋の天井に設置されることが多い。
【先行技術文献】
【特許文献】
【０００３】
【特許文献１】特開２０１２−１０２９２４号公報
【発明の概要】
【発明が解決しようとする課題】
【０００４】
室内機の洗浄は、定期的に行われる。例えば、室内機の洗浄は、室内機に洗浄液を吹き付けることによって行われる。このため、室内機を洗浄するためには、洗浄液の吹き付けを行う前に養生作業が必要になる。従来では、ロール状のビニールシートを現場に持ち込み、現場でビニールシートを加工して養生シートを作成していた。このため、洗浄液の吹き付けを行うまでの作業に手間が掛かるといった問題があった。
【０００５】
この発明は、上述のような課題を解決するためになされた。この発明の目的は、空調機の室内機を洗浄するために必要な作業を簡素化できる洗浄作業補助装置を提供することである。
【課題を解決するための手段】
【０００６】
この発明に係る洗浄作業補助装置は、四角筒形状の第１枠部と、第１枠部の一方の縁を空調機の室内機の縁に沿うように配置するための固定部と、外側の縁が第１枠部の他方の縁に設けられ、第１枠部の他方の縁から第１枠部の内側に延びる第１底部と、一方の縁が第１底部の内側の縁に設けられ、第１底部から第１枠部が延びる方向とは反対の方向に延びる第２枠部と、外側の縁が第２枠部の他方の縁に設けられ、第２枠部の他方の縁から第２枠部の内側に延びる第２底部と、一方の縁が第２底部の内側の縁に設けられ、第２底部から第２枠部が延びる方向とは反対の方向に延びる第３枠部と、を備える。第１枠部、第１底部、第２枠部、第２底部及び第３枠部は透光性を有する。第２枠部は第１枠部の内側に配置可能である。第３枠部は第２枠部の内側に配置可能である。第１枠部、第２枠部又は第３枠部に、洗浄用ノズルを通すための洗浄孔が形成される。
【０００７】
また、この発明に係る洗浄作業補助装置は、四角環形状の第１枠部と、第１枠部を空調機の室内機の縁に沿うように配置するための固定部と、筒形状であり、一方の縁が第１枠部に設けられた透光性を有する第１シートと、第１シートの他方の縁に設けられ、第１枠部の内側に配置可能な第２枠部と、筒形状であり、一方の縁が第２枠部に設けられた透光性を有する第２シートと、第２シートの他方の縁に設けられ、第２枠部の内側に配置可能な第３枠部と、を備える。第１シート又は第２シートに、洗浄用ノズルを通すための洗浄孔が形成される。
【発明の効果】
【０００８】
この発明に係る洗浄作業補助装置を使用することにより、空調機の室内機を洗浄するために必要な作業を簡素化できる。
【図面の簡単な説明】
【０００９】
【図１】この発明の実施の形態１における洗浄作業補助装置の例を示す斜視図である。
【図２】洗浄作業補助装置の断面を示す図である。
【図３】保管時或いは運搬時の洗浄作業補助装置の状態を示す断面図である。
【図４】空調機の室内機を示す斜視図である。
【図５】洗浄作業補助装置の使用方法を説明するための図である。
【図６】洗浄作業補助装置の他の構成例を示す図である。
【図７】洗浄作業補助装置の他の構成例を示す図である。
【図８】洗浄作業補助装置の他の構成例を示す図である。
【図９】洗浄作業補助装置の他の構成例を示す図である。
【図１０】洗浄作業補助装置の他の構成例を示す図である。
【図１１】洗浄作業補助装置の他の構成例を示す図である。
【図１２】洗浄作業補助装置の他の構成例を示す図である。
【図１３】洗浄作業補助装置の他の構成例を示す図である。
【図１４】洗浄作業補助装置の他の構成例を示す図である。
【図１５】洗浄作業補助装置の他の構成例を示す図である。
【図１６】洗浄作業補助装置の他の構成例を示す図である。
【図１７】この発明の実施の形態２における洗浄作業補助装置の例を示す断面図である。
【図１８】洗浄作業補助装置の保管時或いは運搬時の状態を示す断面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における洗浄作業補助装置１の例を示す斜視図である。図１に示す洗浄作業補助装置１は、空調機の室内機２（図１では図示せず）を洗浄する際に使用される。特に、洗浄作業補助装置１は、室内機２に洗浄液を吹き付ける高圧洗浄を行う際に使用される。図２は、洗浄作業補助装置１の断面を示す図である。図２は、図１のＡ−Ａ断面を示す。
【００１２】
洗浄作業補助装置１は、例えば本体部３、固定部４及び流出防止部５を備える。
【００１３】
本体部３は、室内機２に吹き付けられた洗浄液（液体）を下方に案内する。本実施の形態では、本体部３が蛇腹状である例を示す。図１及び図２は、洗浄作業補助装置１の使用時の状態を示す。以下の説明では、使用時の状態を基準に洗浄作業補助装置１の上下を特定する。本体部３は蛇腹状であるため、洗浄作業補助装置１を保管する場合或いは運搬する場合は本体部３を折り畳むことができる。図３は、保管時或いは運搬時の洗浄作業補助装置１の状態を示す断面図である。本体部３を折り畳むことにより、洗浄作業補助装置１を薄くし、その体積を小さくすることができる。
【００１４】
本体部３は、例えば枠部６、底部７、枠部８、底部９、枠部１０、底部１１及び枠部１２を備える。
【００１５】
枠部６は、本体部３の中で最も上に配置される部分である。枠部６は四角筒形状であり、透光性を有する。枠部６は、室内機２の大きさに合わせて形成される。底部７は四角環形状であり、透光性を有する。底部７は、外側の縁が枠部６の下側の縁に設けられる。底部７は、枠部６の下側の縁から枠部６の内側に延びるように配置される。
【００１６】
枠部８は四角筒形状であり、透光性を有する。枠部８は、上側の縁が底部７の内側の縁に設けられる。枠部８は、底部７から枠部６が延びる方向とは反対の方向に延びる。即ち、枠部６は底部７の外側の縁から上方に延びるように配置される。枠部８は、底部７の内側の縁から下方に延びるように配置される。底部９は四角環形状であり、透光性を有する。底部９は、外側の縁が枠部８の下側の縁に設けられる。底部９は、枠部８の下側の縁から枠部８の内側に延びるように配置される。
【００１７】
枠部１０は四角筒形状であり、透光性を有する。枠部１０は、上側の縁が底部９の内側の縁に設けられる。枠部１０は、底部９から枠部８が延びる方向とは反対の方向に延びる。即ち、枠部８は底部９の外側の縁から上方に延びるように配置される。枠部１０は、底部９の内側の縁から下方に延びるように配置される。底部１１は四角環形状であり、透光性を有する。底部１１は、外側の縁が枠部１０の下側の縁に設けられる。底部１１は、枠部１０の下側の縁から枠部１０の内側に延びるように配置される。
【００１８】
枠部１２は、本体部３の中で最も下に配置される部分である。枠部１２は四角筒形状であり、透光性を有する。枠部１２は、上側の縁が底部１１の内側の縁に設けられる。枠部１２は、底部１１から枠部１０が延びる方向とは反対の方向に延びる。即ち、枠部１０は、底部１１の外側の縁から上方に延びるように配置される。枠部１２は、底部１１の内側の縁から下方に延びるように配置される。
【００１９】
本体部３に、下方に向かうに従って段階的に細くなる中空部３ａが形成される。中空部３ａは、上方及び下方に開口する。図１及び図２に示す本体部３の構成は一例である。本体部３が備える蛇腹の段数は何段でも良い。空調機の室内機２を洗浄する際に、本体部３の中空部３ａを洗浄液が流れる。
【００２０】
枠部６、底部７、枠部８、底部９、枠部１０、底部１１及び枠部１２は可撓性を有する。洗浄作業補助装置１を運搬する場合等に、本体部３は図３に示すように折り畳まれる。
【００２１】
枠部６は枠部８より大きい。枠部８は、枠部６の内側に配置することが可能である。即ち、枠部８の周囲に枠部６を配置することができる。枠部８を枠部６の内側に配置した際に枠部８の一部が枠部６から突出しても良い。枠部８は枠部１０より大きい。枠部１０は、枠部８の内側に配置することが可能である。即ち、枠部１０の周囲に枠部８を配置することができる。枠部１０を枠部８の内側に配置した際に枠部１０の一部が枠部８から突出しても良い。枠部１０は枠部１２より大きい。枠部１２は、枠部１０の内側に配置することが可能である。即ち、枠部１２の周囲に枠部１０を配置することができる。枠部１２を枠部１０の内側に配置した際に枠部１２の一部が枠部１０から突出しても良い。
【００２２】
枠部８に洗浄孔１３が形成される。洗浄孔１３は、室内機２に洗浄液を吹き付ける際に洗浄用ノズル１４（図１から図３では図示せず）を通すための孔である。枠部８に複数の洗浄孔１３を形成しても良い。枠部６、枠部１０或いは枠部１２に洗浄孔１３を形成しても良い。
【００２３】
固定部４は、本体部３の上側の縁、即ち枠部６の上側の縁を室内機２の縁に沿うように配置するためのものである。図２は、固定部４が枠部６の上側の縁に設けられた吸盤である例を示す。
【００２４】
流出防止部５は、室内機２に洗浄液を吹き付ける際に洗浄孔１３から洗浄液が流出することを防止するためのものである。洗浄孔１３が洗浄用ノズル１４の外形に合わせて形成されていれば、洗浄作業補助装置１は流出防止部５を備える必要はない。しかし、洗浄孔１３を大きめに形成しておけば、種々の洗浄用ノズル１４を用いることができ、且つ洗浄時の洗浄用ノズル１４の操作が容易になる。かかる場合は、洗浄液が洗浄孔１３から本体部３の外に流出することを防止するため、洗浄作業補助装置１に流出防止部５を備えておくことが望ましい。
【００２５】
図２は、流出防止部５が腕貫きのような形状である例を示す。例えば、流出防止部５は、洗浄孔１３が形成された枠部８に設けられる。流出防止部５は、本体部３の内側から洗浄孔１３を覆うように配置される。流出防止部５に、洗浄用ノズル１４を通すための孔が形成される。この孔は、周囲がゴム等の弾性体で形成されており、貫通するものに合わせて径が変わる。このため、洗浄用ノズル１４が流出防止部５を貫通すると洗浄用ノズル１４の外面に流出防止部５が密着し、洗浄液が漏れることを防止する。
【００２６】
次に、図４及び図５も参照し、洗浄作業補助装置１の使用方法について説明する。図４は、空調機の室内機２を示す斜視図である。図４は、室内機２が部屋の天井１５に設置される例を示す。室内機２はカバー等を備えるが、図４はカバーが取り外された状態を示す。
【００２７】
図５は、洗浄作業補助装置１の使用方法を説明するための図である。洗浄液は、室内機２の内側の面に吹き付けられる。洗浄作業補助装置１は、室内機２に吹き付けられた洗浄液を容器１６に導くためのものである。洗浄作業補助装置１は、洗浄液の吹き付けが行われる前に室内機２の下方に配置される。
【００２８】
図５に示す例では、固定部４が天井１５に固定される。天井１５には室内機２に通じる開口１５ａが形成される。固定部４は、天井１５に下方から固定される。固定部４が天井１５に固定されることにより、枠部６の上側の縁が室内機２の縁に沿うように配置される。また、固定部４が天井１５に固定されることにより、洗浄作業補助装置１が開口１５ａを下方から塞ぐように配置される。本体部３は、中空部３ａが下方に向かうに従って段階的に狭くなるように天井１５から吊り下げられる。
【００２９】
洗浄液を吹き付けるための洗浄用ノズル１４は、洗浄孔１３から本体部３の内側に配置される。洗浄用ノズル１４を洗浄孔１３に挿入すると、洗浄用ノズル１４と本体部３との隙間が流出防止部５によって塞がれる。洗浄液は、洗浄孔１３に挿入された洗浄用ノズル１４から室内機２の内面に吹き付けられる。室内機２に吹き付けられた洗浄液は、本体部３を伝って下方に移動し、枠部１２から滴下する。枠部１２から滴下する洗浄液を受けるため、本体部３の下方に容器１６が配置される。
【００３０】
上記構成を有する洗浄作業補助装置１を使用することにより、空調機の室内機２を洗浄するために必要な作業を簡素化できる。即ち、洗浄作業補助装置１を室内機２の下方に設置すれば、洗浄液の吹き付けを行う前の養生作業が終了する。従来のように、現場の状況に合わせてビニールシートを加工し、養生シートを作成する必要がない。また、洗浄作業補助装置１は繰り返し使用することができるため、廃棄物を減らすことができる。
【００３１】
図６は、洗浄作業補助装置１の他の構成例を示す図である。図６は、図５に示すＢ部を拡大した図に相当する。図６は、固定部４が天井１５を上下から挟み込む例を示す。図６に示す構成は、天井１５の下面に吸盤が付かない場合等に好適である。
【００３２】
図７は、洗浄作業補助装置１の他の構成例を示す図である。図７は、図５に示すＢ部を拡大した図に相当する。図７は、洗浄作業補助装置１が粘土状の固定部４を備える例を示す。図７に示す構成は、天井１５の下面に吸盤が付かない場合等に好適である。また、図７に示す構成は、室内機２の縁と天井１５との間に十分な隙間がない場合等に好適である。
【００３３】
図５から図７は、固定部４を天井１５に固定する例を示す。固定部４は室内機２に固定されても良い。固定部４を室内機２の縁に固定しても、枠部６の上側の縁は室内機２の縁に沿うように配置される。図８は、洗浄作業補助装置１の他の構成例を示す図である。図８は、図５に示すＢ部を拡大した図に相当する。図８は、固定部４を室内機２に固定する例を示す。図８に示す例では、固定部４が室内機２の側面に固定される。固定部４として吸盤以外の手段を採用しても良い。
【００３４】
図９は、洗浄作業補助装置１の他の構成例を示す図である。図９は、図５に示すＢ部を拡大した図に相当する。図９に示す例では、洗浄作業補助装置１は本体部３、固定部４及び流出防止部５に加え、防滴部１７を更に備える。固定部４を天井１５に固定する場合、室内機２の縁と天井１５との間に隙間が空いていると、洗浄用ノズル１４から吹き付けられた洗浄液が天井１５の裏側に入ってしまう恐れがある。防滴部１７は、洗浄用ノズル１４からの洗浄液が室内機２と天井１５との隙間から天井１５の裏側に進入することを防止する。
【００３５】
防滴部１７は、例えば枠部６に設けられる。固定部４によって枠部６の上側の縁が室内機２の縁に沿うように配置されると、防滴部１７は、室内機２の縁の直下に配置される。図９は、防滴部１７が可撓性を有する例を示す。図９に示す例では、枠部６の上側の縁が室内機２の縁に沿うように配置されると、防滴部１７が室内機２の縁に下方から接触する。室内機２と天井１５との間に形成された隙間を防滴部１７によって塞ぐことができる。
【００３６】
図１０は、洗浄作業補助装置１の他の構成例を示す図である。図１０は、図５に示すＢ部を拡大した図に相当する。図１０に示す例は、固定部４によって枠部６の上側の縁が室内機２の縁に沿うように配置されると、防滴部１７が室内機２の縁の側方に配置される点で図９に示す例と相違する。図１０に示す例では、防滴部１７の上端部が室内機２の方向を向くように折り曲げられる。このような構成であっても、洗浄用ノズル１４から吹き付けられた洗浄液が天井１５の裏側に進入することを防止できる。
【００３７】
図１１は、洗浄作業補助装置１の他の構成例を示す図である。図１１は、図５に示すＣ部を拡大した図に相当する。図１１に示す例では、洗浄作業補助装置１は本体部３、固定部４及び流出防止部５に加え、反射部１８を更に備える。洗浄作業補助装置１は、防滴部１７を更に備えても良い。
【００３８】
反射部１８は、例えば可視光を反射する。反射部１８は、固定部４によって枠部６の上側の縁が室内機２の縁に沿うように配置された際に上方を向く面に設けられる。図１１は、反射部１８が底部９の上面と底部１１の上面とに設けられる例を示す。反射部１８は、底部９の上面のみに設けられても良い。反射部１８は、底部９の上面及び底部１１の上面に加え、底部７の上面に設けられても良い。
【００３９】
固定部４によって枠部６の上側の縁が室内機２の縁に沿うように配置されると、反射部１８は上方を向く。このため、天井１５に蛍光灯等の照明器具が設置されていれば、この照明器具から放たれた光が反射部１８で反射される。反射部１８で反射された光によって室内機２の内側を照らすことができる。
【００４０】
図１２は、洗浄作業補助装置１の他の構成例を示す図である。図１２は、図２に相当する図である。図１２に示す例では、洗浄作業補助装置１は本体部３、固定部４及び流出防止部５に加え、受け部１９を更に備える。洗浄作業補助装置１は、防滴部１７及び反射部１８を更に備えても良い。
【００４１】
受け部１９は、本体部３の最下部に備えられた枠部に着脱可能に設けられる。図１２に示す例では、受け部１９は、枠部１２に着脱可能に設けられる。受け部１９が枠部１２に取り付けられると、本体部３に形成された下向きの開口が受け部１９によって塞がれる。室内機２を洗浄する際は、枠部１２から受け部１９が取り外される。
【００４２】
上述したように、洗浄作業補助装置１は従来の養生シートと異なり繰り返し使用することができる。例えば部屋に複数の室内機２が存在する場合、１つの室内機２の洗浄が終わると、次に洗浄する室内機２の場所まで洗浄作業補助装置１を運ぶ必要がある。受け部１９が枠部１２に取り付けられていないと、洗浄作業補助装置１を運ぶ際に枠部１２の下端から洗浄液が滴り、床を汚してしまう恐れがある。受け部１９が枠部１２に取り付けられていれば、洗浄作業補助装置１を運ぶ際に洗浄作業補助装置１から洗浄液が落下することを防止できる。
【００４３】
図１３及び図１４は、洗浄作業補助装置１の他の構成例を示す図である。図１３は、図３に示す状態の洗浄作業補助装置１を下方から見た図に相当する。即ち、図１３は、保管時或いは運搬時の洗浄作業補助装置１の状態を示す。図１４は、図２に示す状態の洗浄作業補助装置１を下方から見た図に相当する。即ち、図１４は、洗浄作業補助装置１の使用時の状態を示す。図１３及び図１４に示す例では、洗浄作業補助装置１は本体部３、固定部４及び流出防止部５に加え、保持部２０を更に備える。洗浄作業補助装置１は、防滴部１７、反射部１８及び受け部１９を更に備えても良い。
【００４４】
保持部２０は、本体部３を折り畳んだ状態に保持するためのものである。本体部３を折り畳んだ状態とは、図３に示すように枠部８が枠部６の内側に配置され、且つ枠部１０が枠部８の内側に配置され、且つ枠部１２が枠部１０の内側に配置された状態である。保持部２０は、例えば棒状体２１ａ、棒状体２１ｂ、回転支持部２２ａ、回転支持部２２ｂ、留め具２３ａ及び留め具２３ｂを備える。
【００４５】
回転支持部２２ａ、回転支持部２２ｂ、留め具２３ａ及び留め具２３ｂは、例えば底部７の四隅に設けられる。回転支持部２２ａの対角に留め具２３ｂが配置される。回転支持部２２ｂの対角に留め具２３ａが配置される。棒状体２１ａは、一端部が回転支持部２２ａに設けられる。回転支持部２２ａは、棒状体２１ａを本体部３に対して回転可能に支持する。棒状体２１ｂは、一端部が回転支持部２２ｂに設けられる。回転支持部２２ｂは、棒状体２１ｂを本体部３に対して回転可能に支持する。
【００４６】
棒状体２１ａは、他端部を留め具２３ａ及び留め具２３ｂの双方に留めることができる。同様に、棒状体２１ｂは、他端部を留め具２３ａ及び留め具２３ｂの双方に留めることができる。室内機２を洗浄する場合、棒状体２１ａの他端部は留め具２３ａに留められる。棒状体２１ｂの他端部は留め具２３ｂに留められる。なお、本体部３が折り畳まれていなければ、枠部８等が邪魔になり、棒状体２１ａの他端部を留め具２３ｂに留めることはできない。同様に、棒状体２１ｂの他端部を留め具２３ａに留めることはできない。
【００４７】
本体部３が折り畳まれていれば、棒状体２１ａの他端部を留め具２３ｂに留めることができる。同様に、棒状体２１ｂの他端部を留め具２３ａに留めることができる。棒状体２１ａの他端部が留め具２３ｂに留められると、棒状体２１ａが邪魔になり本体部３を図２に示す状態に配置することができない。このため、本体部３を折り畳んだ状態に保持することができる。棒状体２１ｂの他端部を留め具２３ａに留めても同様の機能を得ることができる。
【００４８】
図１５及び図１６は、洗浄作業補助装置１の他の構成例を示す図である。図１５及び図１６は、図５に示すＢ部を拡大した図に相当する。図１５及び図１６に示す例では、洗浄作業補助装置１は本体部３、固定部４及び流出防止部５に加え、注意喚起部２４を更に備える。洗浄作業補助装置１は、防滴部１７、反射部１８、受け部１９及び保持部２０を更に備えても良い。
【００４９】
注意喚起部２４は、固定部４によって枠部６の上側の縁が室内機２の縁に沿うように配置された後に、枠部６が室内機２から離れるように移動すると注意を喚起する。図１５及び図１６は、固定部４の機能及び注意喚起部２４の機能を加圧体２５、圧力センサ２６及び報知器２７によって実現する例を示す。
【００５０】
加圧体２５は、例えば空気が内部に送り込まれることによって膨らむ弾性体からなる。加圧体２５には弁２８が設けられており、外力が作用しなければ内部から空気が抜けない構造を有する。加圧体２５は、例えば枠部６に設けられる。枠部６の上側の縁が室内機２と天井１５との間に配置された状態で加圧体２５が膨らむことにより、枠部６の上側の縁が室内機２の縁に沿うように配置される。
【００５１】
圧力センサ２６は、加圧体２５に設けられる。圧力センサ２６は、例えば加圧体２５が膨らむことによって枠部６の上側の縁が室内機２の縁に沿うように配置された際に、室内機２の上方で室内機２の上面に対向するように配置される。図１６は、図１５に示す状態から枠部６が室内機２から離れるように下方に移動した状態を示す。枠部６が下方に移動すると、圧力センサ２６が室内機２に接触する。圧力センサ２６が室内機２に接触すると、報知器２７から注意を喚起するための案内が行われる。
【００５２】
実施の形態２．
図１７は、この発明の実施の形態２における洗浄作業補助装置１の例を示す断面図である。図１７に示す洗浄作業補助装置１は、実施の形態１で開示した洗浄作業補助装置１と同様の機能を有する。本実施の形態における洗浄作業補助装置１は、例えば本体部３、固定部４及び流出防止部５を備える。
【００５３】
本体部３は、室内機２に吹き付けられた洗浄液を下方に案内する。図１７は、洗浄作業補助装置１の使用時の状態を示す。本実施の形態においても、洗浄作業補助装置１を保管する場合或いは運搬する場合は本体部３を小さくすることができる。図１８は、保管時或いは運搬時の洗浄作業補助装置１の状態を示す断面図である。本体部３を図１８に示す状態にすることにより、洗浄作業補助装置１を薄くし、その体積を小さくすることができる。
【００５４】
本体部３は、例えば枠部２９、シート３０、枠部３１、シート３２、枠部３３、シート３４、枠部３５、シート３６及び枠部３７を備える。
【００５５】
枠部２９は、本体部３の中で最も上に配置される部分である。枠部２９は四角環形状であり、例えば透光性を有する。枠部２９は、室内機２の大きさに合わせて形成される。シート３０は筒形状であり、透光性を有する。シート３０は、ビニールシート等の柔らかい素材から形成される。シート３０は、上側の縁が枠部２９に設けられる。シート３０は、枠部２９から下方に延びるように配置される。
【００５６】
枠部３１は四角環形状であり、例えば透光性を有する。枠部３１は、シート３０の下側の縁に設けられる。シート３２は筒形状であり、透光性を有する。シート３２は、ビニールシート等の柔らかい素材から形成される。シート３２は、上側の縁が枠部３１に設けられる。シート３２は、枠部３１から下方に延びるように配置される。
【００５７】
枠部３３は四角環形状であり、例えば透光性を有する。枠部３３は、シート３２の下側の縁に設けられる。シート３４は筒形状であり、透光性を有する。シート３４は、ビニールシート等の柔らかい素材から形成される。シート３４は、上側の縁が枠部３３に設けられる。シート３４は、枠部３３から下方に延びるように配置される。
【００５８】
枠部３５は四角環形状であり、例えば透光性を有する。枠部３５は、シート３４の下側の縁に設けられる。シート３６は筒形状であり、透光性を有する。シート３６は、ビニールシート等の柔らかい素材から形成される。シート３６は、上側の縁が枠部３５に設けられる。シート３６は、枠部３５から下方に延びるように配置される。
【００５９】
枠部３７は、本体部３の中で最も下に配置される部分である。枠部３７は四角環形状であり、例えば透光性を有する。枠部３７は、シート３６の下側の縁に設けられる。
【００６０】
本体部３に、下方に向かうに従って細くなる中空部３ａが形成される。中空部３ａは、上方及び下方に開口する。図１７及び図１８に示す本体部３の構成は一例である。本体部３が備える枠部の個数はいくつでも良い。空調機の室内機２を洗浄する際に、本体部３の中空部３ａを洗浄液が流れる。
【００６１】
枠部２９は枠部３１より大きい。枠部３１は、枠部２９の内側に配置することが可能である。即ち、枠部３１の周囲に枠部２９を配置することができる。枠部３１を枠部２９の内側に配置した際に枠部３１の一部が枠部２９から突出しても良い。枠部３１は枠部３３より大きい。枠部３３は、枠部３１の内側に配置することが可能である。即ち、枠部３３の周囲に枠部３１を配置することができる。枠部３３を枠部３１の内側に配置した際に枠部３３の一部が枠部３１から突出しても良い。
【００６２】
枠部３３は枠部３５より大きい。枠部３５は、枠部３３の内側に配置することが可能である。即ち、枠部３５の周囲に枠部３３を配置することができる。枠部３５を枠部３３の内側に配置した際に枠部３５の一部が枠部３３から突出しても良い。枠部３５は枠部３７より大きい。枠部３７は、枠部３５の内側に配置することが可能である。即ち、枠部３７の周囲に枠部３５を配置することができる。枠部３７を枠部３５の内側に配置した際に枠部３７の一部が枠部３５から突出しても良い。
【００６３】
シート３２に洗浄孔１３が形成される。洗浄孔１３は、室内機２に洗浄液を吹き付ける際に洗浄用ノズル１４を通すための孔である。シート３２に複数の洗浄孔１３を形成しても良い。シート３０、シート３４或いはシート３６に洗浄孔１３を形成しても良い。
【００６４】
固定部４は、本体部３の上側の縁、即ち枠部２９の上側の縁を室内機２の縁に沿うように配置するためのものである。図１７は、固定部４が枠部２９に設けられた吸盤である例を示す。
【００６５】
流出防止部５は、室内機２に洗浄液を吹き付ける際に洗浄孔１３から洗浄液が流出することを防止するためのものである。洗浄孔１３が洗浄用ノズル１４の外形に合わせて形成されていれば、洗浄作業補助装置１は流出防止部５を備える必要はない。しかし、洗浄孔１３を大きめに形成しておけば、種々の洗浄用ノズル１４を用いることができ、且つ洗浄時の洗浄用ノズル１４の操作が容易になる。かかる場合は、洗浄液が洗浄孔１３から本体部３の外に流出することを防止するため、洗浄作業補助装置１に流出防止部５を備えておくことが望ましい。
【００６６】
図１７及び図１８に示す構成を採用しても、実施の形態１で開示した効果と同様の効果を奏することができる。本実施の形態においても、洗浄作業補助装置１は、防滴部１７、受け部１９、保持部２０及び注意喚起部２４を更に備えても良い。
【符号の説明】
【００６７】
１  洗浄作業補助装置、  ２  室内機、  ３  本体部、  ３ａ  中空部、  ４  固定部、  ５  流出防止部、  ６  枠部、  ７  底部、  ８  枠部、  ９  底部、  １０  枠部、  １１  底部、  １２  枠部、  １３  洗浄孔、  １４  洗浄用ノズル、  １５  天井、  １６  容器、  １７  防滴部、  １８  反射部、  １９  受け部、  ２０  保持部、  ２１ａ  棒状体、  ２１ｂ  棒状体、  ２２ａ  回転支持部、  ２２ｂ  回転支持部、  ２３ａ  留め具、  ２３ｂ  留め具、  ２４  注意喚起部、  ２５  加圧体、  ２６  圧力センサ、  ２７  報知器、  ２８  弁、  ２９  枠部、  ３０  シート、  ３１  枠部、  ３２  シート、  ３３  枠部、  ３４  シート、  ３５  枠部、  ３６  シート、  ３７  枠部
【図１】
0006680087.tif 000002
【図２】
0006680087.tif 000003
【図３】
0006680087.tif 000004
【図４】
0006680087.tif 000005
【図５】
0006680087.tif 000006
【図６】
0006680087.tif 000007
【図７】
0006680087.tif 000008
【図８】
0006680087.tif 000009
【図９】
0006680087.tif 000010
【図１０】
0006680087.tif 000011
【図１１】
0006680087.tif 000012
【図１２】
0006680087.tif 000013
【図１３】
0006680087.tif 000014
【図１４】
0006680087.tif 000015
【図１５】
0006680087.tif 000016
【図１６】
0006680087.tif 000017
【図１７】
0006680087.tif 000018
【図１８】
0006680087.tif 000019